(57)【要約】【課題】本発明においては、光ディスク装置の管理者が光ディスクの種類に応じて、所望のときに容易にその動作機能を制限することができる光ディスク装置およびその機能設定方法を提供することを目的とする。【解決手段】光ディスクの種類に応じて禁止動作を登録する記憶手段と、本装置に収納された光ディスクの種類を判別する判別手段と、前記光ディスクへの情報の記録または再生動作を指示するコマンドを入力する入力手段と、前記コマンドが、前記判別された種類の光ディスクに対する禁止動作を指示する場合、前記光ディスクを使用禁止とする制御手段とを具備する構成とした。【選択図】図１
2008052765.tif 000002
【特許請求の範囲】
【請求項１】
光ディスクの種類に応じて禁止動作を登録する記憶手段と、
本装置に収納された光ディスクの種類を判別する判別手段と、
前記光ディスクへの情報の記録または再生動作を指示するコマンドを入力する入力手段と、
前記コマンドが、前記判別された種類の光ディスクに対する禁止動作を指示する場合、前記光ディスクを使用禁止とする制御手段と、を備えたことを特徴とする光ディスク装置。
【請求項２】
前記制御手段は、前記収納した光ディスクを排出することで、前記光ディスクを使用禁止とすることを特徴とする請求項１記載の光ディスク装置。
【請求項３】
前記光ディスクを収納するトレイを有し、前記制御手段は、前記光ディスクを収納したトレイを排出することで、前記光ディスクを使用禁止とすることを特徴とする請求項１記載の光ディスク装置。
【請求項４】
前記光ディスクを収納する収納部と、この収納部の蓋と、を有し、前記制御手段は、前記光ディスクを収納した収納部の蓋を開けることで、前記光ディスクを使用禁止とすることを特徴とする請求項１記載の光ディスク装置。
【請求項５】
前記禁止動作は、光ディスクへの情報の記録または再生の禁止であることを特徴とする請求項１記載の光ディスク装置。
【請求項６】
前記制御手段は、前記光ディスクが音楽ＣＤでかつ前記入力手段が再生動作を指示したとき、再生動作を禁止することを特徴とする請求項１記載の光ディスク装置。
【請求項７】
前記制御手段は、前記光ディスクが記録系ＣＤでかつ前記入力手段が記録動作を指示したとき記録動作を禁止することを特徴とする請求項１記載の光ディスク装置。
【請求項８】
前記制御手段は、前記光ディスクがＣＰＲＭ対応のディスクでなく、前記入力手段が記録動作を指示したとき記録動作を禁止することを特徴とする請求項１記載の光ディスク装置。
【請求項９】
光ディスクの種類の空き容量に応じて禁止動作を登録する記憶手段と、
本装置に収納された光ディスクの種類を判別する判別手段と、
前記光ディスクへの情報の記録動作を指示するコマンドを入力する入力手段と、
前記コマンドが、前記判別された光ディスクの空き容量を格納する光ディスクに対する禁止動作を指示する場合、前記光ディスクを使用禁止とする制御手段と、を備えたことを特徴とする光ディスク装置。
【請求項１０】
前記制御手段は、前記光ディスクがブランクディスクでかつ記録動作を指示するコマンドを入力したとき、前記光ディスクを使用禁止とすることを特徴とする請求項９記載の光ディスク装置。
【請求項１１】
光ディスクの種類ごとに格納されたデータ量に応じて禁止動作を登録する記憶手段と、
本装置に収納された光ディスクの種類を判別する判別手段と、
前記光ディスクへの再生動作を指示するコマンドを入力する入力手段と、
前記コマンドが、前記判別されたデータ量を格納する光ディスクに対する禁止動作を指示する場合、前記光ディスクを使用禁止とする制御手段と、を備えたことを特徴とする光ディスク装置。
【請求項１２】
前記制御手段は、前記光ディスクに格納された所定のデータ量より大きい容量のデータでかつ、再生動作を指示するコマンドを入力したとき、前記光ディスクを使用禁止とすることを特徴とする請求項９記載の光ディスク装置。
【請求項１３】
光ディスクの種類ごとに格納されたファイルの種類に応じて禁止動作を登録する記憶手段と、
本装置に収納された光ディスクの種類を判別する判別手段と、
前記光ディスクへの情報の再生動作を指示するコマンドを入力する入力手段と、
前記コマンドが、前記判別された種類のファイルを格納する光ディスクに対する禁止動作を指示する場合、前記光ディスクを使用禁止とする制御手段と、を備えたことを特徴とする光ディスク装置。
【請求項１４】
前記制御手段は、前記光ディスクの種類がＤＶＤ−ＶＩＤＥＯと判別し、前記入力手段が再生動作を指示したとき、再生動作を禁止することを特徴とする請求項１３記載の光ディスク装置。
【請求項１５】
光ディスクの種類に応じて禁止動作を登録し、
本装置に収納された光ディスクの種類を判別し、
前記光ディスクへの情報の記録または再生動作を指示するコマンドを入力し、
前記コマンドが、前記判別された種類の光ディスクに対する禁止動作を指示する場合、前記光ディスクを使用禁止とすることを特徴とする光ディスク装置の機能設定方法。
【発明の詳細な説明】
【技術分野】
【０００１】
本発明は、パーソナルコンピュータに接続された光ディスクに対して記録または再生することができる光ディスク装置およびその機能設定方法に関するものである。
【背景技術】
【０００２】
パーソナルコンピュータ（以下ＰＣとも呼ぶ）には、プログラムなどをインストールするためやデータの受け渡し、音楽や映像を楽しむための再生専用のＣＤ、ＤＶＤドライブが搭載されたものや、リムーバブル記憶装置としてデータを記録可能な光ディスク装置である記録型ＣＤ（ＣＤ−Ｒ、ＣＤ−ＲＷなど）や記録型ＤＶＤ（ＤＶＤ−Ｒ、ＤＶＤ−ＲＡＭなど）などが搭載されてきている。これらの光ディスク装置は、再生専用のＣＤ−ＲＯＭ、ＤＶＤ−ＲＯＭや、コンボドライブとよばれるＣＤ−Ｒ／ＲＷによる書き込みとＤＶＤ−ＲＯＭの読み込みに対応したドライブ、マルチドライブと呼ばれるＤＶＤ−Ｒ／−ＲＷ／−ＲＡＭの読み書きが可能な記録型ＤＶＤドライブとＤＶＤ−ＲＯＭの読み込みに対応したドライブ、スーパーマルチドライブと呼ばれるＤＶＤ±Ｒ／±ＲＷ／−ＲＡＭとすべての記録型メディアを読み書に対応したドライブなどがあり、パーソナルコンピュータでは、用途に応じてこれらの光ディスク装置を組み込むでユーザに提供している。
【０００３】
近年では、パーソナルコンピュータには記録可能な光ディスク装置を搭載しているものが一般的となってきている。
【０００４】
一般に会社内で使用されるパーソナルコンピュータは、ネットワーク接続（ＬＡＮ接続）されて情報の共有が図られている。このＬＡＮに接続されるパーソナルコンピュータも光ディスクに記録できるドライブが搭載されていることが多い。また、ＬＡＮ接続では、サーバを設置してこれらのサーバにファイルを保存している場合があり、セキュリティ対策をして個別にアクセス制限をしたり、共用ホルダを設けてある程度のアクセスを可能としている場合がある。
【０００５】
ＬＡＮ内部に接続されたパーソナルコンピュータは、個人別に各人が１台所有することが一般的である。これらの光ディスク装置は、プログラム更新等のための読み取り用や、収集した実験データのような所望のデータを記録し配布などのためにも光ディスク装置が搭載されている。
【０００６】
この分野の特許文献として、（特許文献１）がある。
【特許文献１】特開２００２−２３６６２１号公報
【発明の開示】
【発明が解決しようとする課題】
【０００７】
しかしながら、全てのパーソナルコンピュータに記録可能な光ディスク装置を搭載すれば、誰でも光ディスクにデータ記録することができるようになり、不用意に秘情報を流出する可能性が考えらる。パーソナルコンピュータの使用する目的に応じてセキュリティを設定し、搭載する光ディスク装置のモデルを変え、読み取り専用の光ディスク装置を搭載したり、記録可能光ディスク装置を搭載したりして、予め光ディスクの種類を登録すれば不用意な秘情報の流出に対処できるが、パーソナルコンピュータもしくは搭載する光ディスク装置を使用する目的に応じて都度変更するのは管理が煩雑である。
【０００８】
また、社内だけでなく家庭においても周囲の人に影響を及ぼすような部屋で、パーソナルコンピュータの使用は制限をせずに、所望のときだけ音楽ＣＤの再生を制限したりＤＶＤの再生を制限することがあるが、管理者がいないとき必要に応じ音楽ＣＤの再生、ＤＶＤの再生を停止しするのは困難であった。
【０００９】
そこで、本発明においては、光ディスク装置の管理者が光ディスクの種類に応じて、所望のときに容易にその動作機能を制限することができる光ディスク装置およびその機能設定方法を提供することを目的とする。
【課題を解決するための手段】
【００１０】
本発明においては、かかる課題を解決するために、光ディスクの種類に応じて禁止動作を登録する記憶手段と、本装置に収納された光ディスクの種類を判別する判別手段と、前記光ディスクへの情報の記録または再生動作を指示するコマンドを入力する入力手段と、前記コマンドが、前記判別された種類の光ディスクに対する禁止動作を指示する場合、前記光ディスクを使用禁止とする制御手段とを具備したことにより、予め複数種類の光ディスクの記録かつ再生が可能な光ディスク装置をパーソナルコンピュータに搭載して、使用者に応じて、搭載された光ディスク装置の機能を、例えば、ＣＤの再生のみとか、記録も可能とかいうように管理者が設定できるようになり、セキュリティ上管理が容易になる。
【発明の効果】
【００１１】
本発明の光ディスク装置によれば、パーソナルコンピュータ管理者がパーソナルコンピュータに接続された光ディスク装置の機能を、使用するパーソナルコンピュータの所有者の使用する目的にあわせて任意に光ディスク装置の機能を制限ができるので、パーソナルコンピュータの管理者が、セキュリティレベルに合わせて再生専用の光ディスク装置と設定したり記録または再生ができる光ディスク装置に設定することができる。
【００１２】
また、パーソナルコンピュータからコマンドを入力することで、光ディスクの種類に応じた記録または再生の動作制限をすることにより、所望の時だけ光ディスクの種類に応じて記録または再生の制限できるとともに使用者に応じた光ディスク装置の機能が設定できるので、記録機能を停止して情報の流出を防止することや特定の情報の再生を制限し情報の開示の防止、また音楽や動画などのコンテンツの再生制限により子供などに対して悪影響のある情報の再生を制限したりすることができる。
【発明を実施するための最良の形態】
【００１３】
請求項１記載の発明は、光ディスクの種類に応じて禁止動作を登録する記憶手段と、本装置に収納された光ディスクの種類を判別する判別手段と、光ディスクへの情報の記録または再生動作を指示するコマンドを入力する入力手段と、入力したコマンドが、判別された種類の光ディスクに対する禁止動作を指示する場合、光ディスクを使用禁止とするものである。
【００１４】
本発明によれば、登録した光ディスクの種類の動作を停止し制限することにより、使用者に応じた光ディスク装置の機能が設定できるので、記録機能を停止して情報の流出を防止することや特定の情報の再生を制限し情報の開示の防止、また音楽や動画などのコンテンツの再生制限により子供などに対して悪影響のある情報の再生を制限したりすることができる。
【００１５】
請求項２記載の発明は、請求項１記載の発明において、光ディスクを使用禁止とする制御手段は、収納した光ディスクを排出することで、光ディスクを使用禁止とするものである。
【００１６】
本発明によれば、光ディスクを使用禁止とする種類の光ディスクを登録し、登録した光ディスク自体を排出することにより、所望の光ディスクを使用できなくするので、パーソナルコンピュータに接続された光ディスク装置において、記録機能を停止して情報の流出を防止することや特定の情報の再生を制限し情報の開示の防止、また音楽や動画などのコンテンツの再生制限により子供などに対して悪影響のある情報の再生を制限したりすることができる。
【００１７】
請求項３記載の発明は、請求項１記載の発明において、光ディスクを収納するトレイを有し、制御手段は、光ディスクを収納したトレイを排出することで、光ディスクを使用禁止とすることを特徴とするものである。
【００１８】
本発明によれば、光ディスクを使用禁止とする種類の光ディスクを登録し、登録した光ディスクを収納したトレイを排出することにより、所望の光ディスクを使用できなくするので、パーソナルコンピュータに接続された光ディスク装置において、記録機能を停止して情報の流出を防止することや特定の情報の再生を制限し情報の開示の防止、また音楽や動画などのコンテンツの再生制限により子供などに対して悪影響のある情報の再生を制限したりすることができる。
【００１９】
請求項４記載の発明は、請求項１記載の発明において、光ディスクを収納する収納部と、この収納部の蓋とを有し、光ディスクを使用禁止とする制御手段は、光ディスクを収納した収納部の蓋を開けることで前記光ディスクを使用禁止とするものである。
【００２０】
本発明によれば、光ディスクを使用禁止とする種類の光ディスクを登録し、登録した光ディスクを収納した収納部の蓋を開けることにより、所望の光ディスクを使用できなくするので、特にパーソナルコンピュータに外付けで接続された光ディスク装置において、記録機能を停止して情報の流出を防止することや特定の情報の再生を制限し情報の開示の防止、また音楽や動画などのコンテンツの再生制限により子供などに対して悪影響のある情報の再生を制限したりすることができる。
【００２１】
請求項５記載の発明は、請求項１記載の発明において、禁止動作は、光ディスクへの情報の記録または再生の禁止であることを特徴とするものである。
【００２２】
本発明によれば、判別された種類の光ディスクに対する禁止動作において、記録または再生の禁止とすることにより、パーソナルコンピュータからの記録または再生のコマンド以外の光ディスクへの動作には影響を与えないので、光ディスクの禁止動作の設定ができるとともに、記録または再生のときに禁止する動作が機能するので、使用している環境では、その動作を制限されていることが認識できるようになる。
【００２３】
請求項６記載の発明は、請求項１記載の発明において、制御手段は、光ディスクが音楽ＣＤでかつ入力手段が再生動作を指示したとき、再生動作を禁止するものである。
【００２４】
本発明によれば、音楽ＣＤを再生制限することにより、静音が必要とするような環境での音の出力を制限できるので、不用意に音楽ＣＤを再生してしまうようなことがなくなる。
【００２５】
請求項７記載の発明は、請求項１記載の発明において、制御手段は、光ディスクが記録系ＣＤでかつ前記入力手段が記録動作を指示したとき記録動作を禁止するものである。
【００２６】
本発明によれば、記録系のディスクへの記録動作を制限することにより、パーソナルコンピュータ内の情報を記録系のディスクに記録しないようにできるので、社内の秘情報等の流出を制限できるようになる。
【００２７】
請求項８記載の発明は、請求項１記載の発明において、制御手段は、光ディスクがＣＰＲＭ対応のディスクでなく、入力手段が記録動作を指示したとき記録動作を禁止するものである。
【００２８】
本発明によれば、記録回数の制限ができるＣＰＲＭ光ディスク以外には記録動作を制限することにより、セキュリティが高まるので、社内の秘情報等の流出を制限できるようになる。
【００２９】
請求項９記載の発明は、光ディスクの種類の空き容量に応じて禁止動作を登録する記憶手段と、本装置に収納された光ディスクの種類を判別する判別手段と、光ディスクへの情報の記録動作を指示するコマンドを入力する入力手段と、前記コマンドが、判別された光ディスクの空き容量を格納する光ディスクに対する禁止動作を指示する場合、光ディスクを使用禁止とする制御手段と、を備えたものである。
【００３０】
本発明によれば、光ディスクの種類ごとにその空き容量に応じて記録の動作機能を制限することにより、登録した空き容量より大きいファイルの記録を制限できるので、パーソナルコンピュータ内部の秘情報の記録を制限し情報の流出に対処できるようになる。
【００３１】
請求項１０記載の発明は、請求項９記載の発明において、制御手段は、光ディスクがブランクディスクでかつ記録動作を指示するコマンドを入力したとき、光ディスクを使用禁止とするものである。
【００３２】
本発明によれば、ブランクディスクへの記録制限することにより、情報の記録を制限するだけでなく、デッドコピーも防止するので、さらにセキュリティを高めた光ディスク装置を提供できるようになる。
【００３３】
請求項１１記載の発明は、光ディスクの種類ごとに格納されたデータ量に応じて禁止動作を登録する記憶手段と、本装置に収納された光ディスクの種類を判別する判別手段と、光ディスクへの再生動作を指示するコマンドを入力する入力手段と、前記コマンドが、判別されたデータ量を格納する光ディスクに対する禁止動作を指示する場合、光ディスクを使用禁止とする制御手段とを備えたものである。
【００３４】
本発明によれば、光ディスクの種類ごとにそのデータ量に応じて禁止動作を制限することにより、データ量の大きい情報の再生を制限できるようになるので、動画データのように大きいファイルの再生や、大きい容量のプログラムファイルをパーソナルコンピュータへのインストールすることを制限できるようになる。
【００３５】
請求項１２記載の発明は、請求項１１記載の発明において、制御手段は、光ディスクに格納された所定のデータ量より大きい容量のデータでかつ、再生動作を指示するコマンドを入力したとき、光ディスクを使用禁止とするものである。
【００３６】
本発明によれば、データ量の大きい情報の再生を制限できるようになるので、動画データのように大きいファイルの再生や、大きい容量のプログラムファイルをパーソナルコンピュータへのインストールすることを制限できるようになる。
【００３７】
請求項１３記載の発明は、光ディスクの種類ごとに格納されたファイルの種類に応じて禁止動作を登録する記憶手段と、本装置に収納された光ディスクの種類を判別する判別手段と、光ディスクへの情報の再生動作を指示するコマンドを入力する入力手段と、光ディスクへの情報の記録または再生動作を指示するコマンドを入力する入力手段と、入力したコマンドが、判別された種類のファイルを格納する光ディスクに対する禁止動作を指示する場合、光ディスクを使用禁止とする制御手段とを備えたものである。
【００３８】
本発明によれば、光ディスク格納されたファイルの種類に応じて再生動作を制限するので、光ディスクの種類に応じて、光ディスクに保存された文書の再生を制限、光ディスクの画像再生の制限、ミュージックファイルの再生の制限などができるので、所望の時だけ光ディスクの種類に応じて再生の制限できるとともに使用者に応じた光ディスク装置の機能が設定できるので、情報を無断でパソナルコンピュータに保存されたり、特定の情報の再生を制限し情報の開示の防止、また音楽や動画などのコンテンツの再生制限により子供などに対して悪影響のある情報の再生を制限したりすることができる。
【００３９】
請求項１４記載の発明は、請求項１３記載の発明において、制御手段は、光ディスクの種類がＤＶＤ−ＶＩＤＥＯと判別し、入力手段が再生動作を指示したとき、再生動作を禁止するものである。
【００４０】
本発明によれば、パーソナルコンピュータ管理者が所望により、ＤＶＤ−ＶＩＤＥＯの再生を制限することにより、動画などのコンテンツの再生を制限するので、所望により子供などに対して悪影響のある情報の再生を制限したりすることができる。
【００４１】
請求項１５記載の発明は、光ディスクの種類に応じて禁止動作を登録し、本装置に収納された光ディスクの種類を判別し、前記光ディスクへの情報の記録または再生動作を指示するコマンドを入力し、前記コマンドが、前記判別された種類の光ディスクに対する禁止動作を指示する場合、前記光ディスクを使用禁止とするものである。
【００４２】
本発明によれば、登録した光ディスクの種類の動作を停止し制限することにより、使用者に応じた光ディスク装置の機能が設定できるので、記録機能を停止して情報の流出を防止することや特定の情報の再生を制限し情報の開示の防止、また音楽や動画などのコンテンツの再生制限により子供などに対して悪影響のある情報の再生を制限したりすることができる。
【００４３】
以下、本発明の実施の形態について図面を参照しながら説明する。
【００４４】
（実施の形態１）
図１は、本発明の実施の形態１に係わる光ディスク装置の構成を示したブロック図である。
【００４５】
図１において、１１はパーソナルコンピュータ、１３は光ディスク装置、１５はインターフェースケーブル、２３はインターフェース、２０１は光ディスク、２０２はピックアップモジュール、２０３はピックアップ、２０４はスピンドルモータ、２０５はフォーカス駆動手段、２０６は対物レンズ、２０７はレーザ発行手段、２０８は反射光受光手段、２０９はキャリッジ、２１２はデジタルサーボコントローラ、２１３はデータ制御部、２１４はフォーカス制御手段、２１５はコマンド判別手段、２１７はレーザ制御手段、２１８は回転制御手段、２１９はスピンドルモータ駆動手段、２２０は記憶手段、２２２はディスク判別手段、２２３は禁止動作駆動手段である。
【００４６】
パーソナルコンピュータ１１と光ディスク装置１３はインターフェースケーブル１５で接続され、インターフェース２３を介して光ディスク２０１に記録されたデータをパーソナルコンピュータ１１に出力したり、パーソナルコンピュータ１１のデータを光ディスク２０１出力する。
【００４７】
光ピックアップ手段であるピックアップモジュール２０２は、レーザ発光手段２０７を有し、光ディスク２０１へのデータの記録および光ディスク２０１の情報の再生時にレーザ光を照射し、記録および再生を行う。スピンドルモータ２０４は、光ディスク２０１の回転を行う。
【００４８】
ピックアップモジュール２０２はキャリッジ２０９に備えられ、移動手段であるフィードモータ（図示せず）によってピックアップモジュール２０２をスピンドルモータ２０４に近づいたり離れたりするように光ディスク２０１の半径方向に移動させる。
【００４９】
レーザ発光手段２０７で出力されたレーザ光は、光ディスク２０１の記録面で焦点が合うようにフォーカス制御手段２１４で制御されフォーカス駆動手段２０５で焦点をあわせられる。レーザ制御手段２１７は、光ディスク２０１に記録または再生の動作にあったレーザパワーを制御する。光ディスク２０１からのレーザ光の反射光は、反射光受光手段２０８で受光して光ディスク２０１の情報がデジタルサーボコントローラ２０１に送られ、送られた情報をデータ処理部２１３で処理される。
【００５０】
ディスク判別手段２２２は、光ディスク２０１の情報をもとに、光ディスク２０１の物理的な規格により光ディスク２０１の種別を判別したり、ファイルシステムである論理フフォーマットを基にファイル構成を判別したり、記録されたビデオフォーマットでアプリケーションを判別したりする。
【００５１】
コマンド判別手段２１８は、パーソナルコンピュータ１１から送られてくるコマンドを入力し、入力したコマンドが、光ディスク２０１へ情報を記録するコマンド、光ディスク２０１の情報を再生するコマンド、記憶手段２２０にパラメータを送るコマンドなどのコマンドを判別する。
【００５２】
パーソナルコンピュータ１１と光ディスク装置１３とは、インターフェース２３で接続されており、パーソナルコンピュータ１１からの制御信号たとえばＡＴＡＰＩパケットコマンドを基に光ディスク装置１３はパーソナルコンピュータ１１に応答し、光ディスク２０１の情報を読み込んだり、光ディスク２０１に情報を記録したりする。パーソナルコンピュータ１１と光ディスク装置１３はケーブル１５で接続されている。また、インターフェース２３は、ＳＣＳＩインターフェースや、ＩＤＥインターフェース等である。
【００５３】
パーソナルコンピュータ１１から光ディスク装置１３にＡＴＡＰＩパケットインターフェースのコマンドで複数の種類の光ディスク２０１に対し、記録または再生動作のうち禁止する動作の制御パラメータを転送し、光ディスク装置１３は受信した制御パラメータを含むコマンドを基に光ディスク２０１の記録及び再生の制御を行う制御パラメータを記憶手段２２０に格納する。
【００５４】
記憶手段２２０に格納された光ディスクの種類ごとのパラメ−タと、パーソナルコンピュータ１１から受信したコマンドが一致すると、禁止動作駆動手段２２３によって、光ディスク２０１が使用禁止とする動作を行う。
【００５５】
禁止動作駆動手段としては、光ディスク装置１３の種類によって、光ディスク２０１を直接光ディスク装置１３から排出したり、光ディスク２０１を装着したトレイを排出したり、光ディスク２０１を収納した収納部の蓋を開けたりして光ディスク２０１を使用禁止とする。
【００５６】
図２は、本発明の実施の形態１に係わる使用禁止動作の一例を示す図である。
【００５７】
図２（ａ）は、スロットインタイプの光ディスク装置１３であり、記憶手段２２０に格納された光ディスクの種類ごとのパラメ−タと、パーソナルコンピュータ１１から受信したコマンドが一致すると、光ディスク装置１３の光ディスク挿入口２４５から光ディスク２０１を排出することで、光ディスク２０１を使用禁止とする。
【００５８】
図２（ｂ）は、光ディスク２０１を収納するトレイ２３１を有し、記憶手段２２０に格納された光ディスクの種類ごとのパラメ−タと、パーソナルコンピュータ１１から受信したコマンドが一致すると、光ディスク装置１３から光ディスク２０１を収納したトレイを排出することで、光ディスク２０１を使用禁止とする。
【００５９】
図２（ｃ）は、光ディスク２０１を収納する収納部２４１と、この収納部２４１の蓋２４０を備えており、記憶手段２２０に格納された光ディスクの種類ごとのパラメ−タと、パーソナルコンピュータ１１から受信したコマンドが一致すると、光ディスク装置１３から光ディスク２０１を収納した収納部２４１の蓋２４０を開くことで、光ディスク２０１を使用禁止とする。
【００６０】
図３は、本発明の実施の形態１に係わる禁止動作の登録テーブルを示す表の一例を示す図である。
【００６１】
図３に示すように、光ディスク装置１３で使用可能な対応光ディスクのうち、使用禁止とする機能のフラグを”０”とする。この例では、音楽ＣＤとＤＶＤ−ＶＩＤＥＯの再生を禁止動作として登録し、記録動作の禁止は、ＣＤ−Ｒ、ＣＤ−ＲＷ、ＤＶＤ−Ｒ，ＤＶＤ−ＲＷを禁止とし、ＤＶＤ＋Ｒ、ＤＶＤ＋ＲＷ、ＤＶＤ−ＲＡＭは記録動作がそのままできるように設定した例である。
【００６２】
また、ＣＰＲＭ（Ｃｏｎｔｅｎｔ  Ｐｒｏｔｅｃｔｉｏｎ  ｆｏｒ  Ｒｅｃｏｒｄａｂｌｅ  Ｍｅｄｉａ）対応のディスク、ＤＶＤ−Ｒ、ＤＶＤ−ＲＷ、ＤＶＤ−ＲＡＭなどにだけ指定された回数に限り記録するようにしてもよい。これにより、情報の著作権保護ができるようになる。
【００６３】
このテーブルは、パーソナルコンピュータ１１で動作するユーティリティプログラムを実行し、このパラメータをパーソナルコンピュータ１１から光ディスク装置１３に発光するすることで設定できるようにしている。
【００６４】
図４は、本発明の実施の形態１にかかわるパーソナルコンピュータ側のフローチャートである。
【００６５】
パーソナルコンピュータ１１が動作し、光ディスク装置１３のパラメータ設定が開始すると（Ｓ４００）、パーソナルコンピュータ１１にユーティリティプログラムがロードされ（Ｓ４０１）、常駐プログラムが実行され（Ｓ４０２）。
【００６６】
プログラムが実行されたあと、プログラムを終了するかどうか判断され（Ｓ４０３）、終了するときはプログラム終了する（Ｓ４０４）。
【００６７】
プログラムの常駐を続けるときは、パーソナルコンピュータ１１の実行でパラメータ設定モードとして、パラメータ設定するかどうか判断され（Ｓ４０５）、パラメータ設定の動作をしないときは（Ｓ４０３）にもどり実行を続ける。
【００６８】
パラメータ設定するときは、光ディスクの種類ごとに禁止動作するパラメータをパーソナルコンピュータ１１において設定し（Ｓ４０６）、設定したパラメータを光ディスク装置１３に発行するかどうか判断し（Ｓ４０７）、発行するときは、光ディスク装置１３に禁止動作するパラメータをコマンドとして発行し（Ｓ４０８）、（Ｓ４０３）に戻り、常駐プログラムの実行を続ける。
【００６９】
図５は、本発明の実施の形態１に係わる光ディスクの禁止動作処理のフローチャートである。
【００７０】
処理が開始されると（Ｓ５００）、パーソナルコンピュータ１１からのコマンド（Ｃｍｄ）入力があるかどうか判断され（Ｓ５０１）、入力したコマンドが禁止動作に関する登録かどうか判断される（Ｓ５０２）。入力したコマンドが登録に関するコマンドのときは、対応する光ディスクの種類ごとに禁止する動作のフラグを１から０に変更する禁止動作登録処理を行い（Ｓ５０３）、コマンド入力の判断（Ｓ５０１）に戻る。
【００７１】
入力したコマンドが禁止動作に関する登録コマンドでなければ処理を終了するコマンドかどうか判断し（Ｓ５０４）、終了するコマンドのときは終了処理を実行する（Ｓ５０５）。
【００７２】
処理を終了するコマンドでなければ、光ディスク装置１３に光ディスク２０１が収納されているかどうか判断し（Ｓ５０６）、収納されていなければ、（Ｓ５０６）を続け、光ディスク２０１の収納を監視する。
【００７３】
光ディスク２０１が収納されていれば、光ディスクの種類を判断する（Ｓ５０７）。この光ディスク２０１の種類は、光ディスクの物理規格に基づき判断すればよい。
【００７４】
そして、入力したコマンドが記録または再生のコマンドかどうか判断し（Ｓ５０８）、記録または再生のコマンドでなければ、該当するコマンド処理を実行し（Ｓ５０９）、コマンド処理が終了したかどうか判断し（Ｓ５１０）、終了していなければ（Ｓ５０９）に戻りコマンド処理を続ける。コマンド処理が終了すれば、（Ｓ５０１）に戻る。
【００７５】
記録または再生コマンドのときは、禁止動作に関する登録値を読込（Ｓ５１１）、読込んだ禁止動作の登録値とコマンド入力した動作が一致するかどうか判断し（Ｓ５１２）、一致したら光ディスクの禁止動作駆動を行う（Ｓ５１３）。読込んだ禁止動作の登録値とコマンド入力した動作が一致していなかったら、全ての登録値を確認したかどうか判断し（Ｓ５１４）、（Ｓ５１１）に戻る。
【００７６】
全ての確認が終わり禁止動作に該当しなかったら、記録または再生処理を行い（Ｓ５１５）、記録または再生を終了するかどうか判断し（Ｓ５１６）、終了するときは（Ｓ５０１）に戻る。
【００７７】
記録または再生処理が終わっていないときは、（Ｓ５１５）に戻り記録または再生処理を続ける。
【００７８】
（実施の形態２）
以下、本発明の実施の形態２について詳細に説明する。
【００７９】
なお、本発明の実施の形態１と重複する処理は繰り返して述べない。
【００８０】
図６は、本発明の実施の形態２に係わる禁止動作の登録テーブルを示す表の一例を示す図である。
【００８１】
図６に示すように、本実施の形態２においては、光ディスク装置１３で使用可能な対応光ディスクの種類毎に空きディスクの容量の限界と設定し、設定値以上の空き容量がある光ディスク２０１には記録する動作を使用禁止とする機能とすることができる。
【００８２】
図６においては、一例として、記録可能な領域の空き容量の割合をパラメータとしている。
【００８３】
従って、ブランクディスク（１００％）空きのディスクには、記録できなくして、光ディスクのデッドコピー防止などの設定や、パーソナルコンピュータ内の重要ファイルの容量に応じて、その容量を設定することで、重要ファイルの設定を所望の時に行うことができるようになる。
【００８４】
このテーブルは、パーソナルコンピュータ１１で動作するユーティリティプログラムを実行し、このパラメータをパーソナルコンピュータ１１から光ディスク装置１３に発光するすることで設定できるようにしている。
【００８５】
図７は、本発明の実施の形態２に係わる光ディスクの禁止動作処理のフローチャートである。
【００８６】
処理が開始されると（Ｓ７００）、パーソナルコンピュータ１１からのコマンド（Ｃｍｄ）入力があるかどうか判断され（Ｓ７０１）、入力したコマンドが禁止動作に関する登録かどうか判断される（Ｓ７０２）。入力したコマンドが登録に関するコマンドのときは、対応する光ディスクの種類ごとに禁止する動作のフラグを１から０に変更する禁止動作登録処理を行い（Ｓ７０３）、コマンド入力の判断（Ｓ７０１）に戻る。
【００８７】
入力したコマンドが禁止動作に関する登録コマンドでなければ処理を終了するコマンドかどうか判断し（Ｓ７０４）、終了するコマンドのときは終了処理を実行する（Ｓ７０５）。
【００８８】
処理を終了するコマンドでなければ、光ディスク装置１３に光ディスク２０１が収納されているかどうか判断し（Ｓ７０６）、収納されていなければ、（Ｓ７０６）を続け、光ディスク２０１の収納を監視する。
【００８９】
光ディスク２０１が収納されていれば、光ディスクの種類を判断する（Ｓ７０７）。この光ディスク２０１の種類は、光ディスクの物理規格に基づき判断すればよい。
【００９０】
そして、入力したコマンドが記録コマンドかどうか判断し（Ｓ７０８）、記録のコマンドでなければ、該当するコマンド処理を実行し（Ｓ７０９）、コマンド処理が終了したかどうか判断し（Ｓ７１０）、終了していなければ（Ｓ７０９）に戻りコマンド処理を続ける。コマンド処理が終了すれば、（Ｓ７０１）に戻る。
【００９１】
記録コマンドのときは、禁止動作に関する登録値を読込（Ｓ７１１）、判別した空きディスクの容量が読込んだ禁止動作の登録設定値より大きいかどうか判断し（Ｓ７１２）、一致したら光ディスクの禁止動作駆動を行う（Ｓ７１３）。読込んだ禁止動作の登録値とコマンド入力した動作が一致していなかったら、全ての登録値を確認したかどうか判断し（Ｓ７１４）、（Ｓ７１１）に戻る。
【００９２】
全ての確認が終わり禁止動作に該当しなかったら、記録処理を行い（Ｓ７１５）、記録を終了するかどうか判断し（Ｓ７１６）、終了するときは（Ｓ７０１）に戻る。
【００９３】
記録処理が終わっていないときは、（Ｓ７１５）に戻り記録処理を続ける。
【００９４】
（実施の形態３）
以下、本発明の実施の形態３について詳細に説明する。
【００９５】
なお、本発明の実施の形態１と重複する処理は繰り返して述べない。
【００９６】
図８は、本発明の実施の形態３に係わる禁止動作の登録テーブルを示す表の一例を示す図である。
【００９７】
図８に示すように、本実施の形態３においては、光ディスク装置１３で使用可能な対応光ディスクの種類毎に空きディスクの容量の限界と設定し、設定値以上の空き容量がある光ディスク２０１には記録する動作を使用禁止とする機能とすることができる。
【００９８】
図８においては、一例として、記録可能な領域の空き容量の割合をパラメータとしている。
【００９９】
従って、ブランクディスク（１００％）空きのディスクには、記録できなくして、光ディスクのデッドコピー防止などの設定や、パーソナルコンピュータ内の重要ファイルの容量に応じて、その容量を設定することで、重要ファイルの設定を所望の時に行うことができるようになる。
【０１００】
このテーブルは、パーソナルコンピュータ１１で動作するユーティリティプログラムを実行し、このパラメータをパーソナルコンピュータ１１から光ディスク装置１３に発光するすることで設定できるようにしている。
【０１０１】
図９は、本発明の実施の形態３に係わる光ディスクの禁止動作処理のフローチャートである。
【０１０２】
処理が開始されると（Ｓ９００）、パーソナルコンピュータ１１からのコマンド（Ｃｍｄ）入力があるかどうか判断され（Ｓ９０１）、入力したコマンドが禁止動作に関する登録かどうか判断される（Ｓ９０２）。入力したコマンドが登録に関するコマンドのときは、対応する光ディスクの種類ごとに禁止する動作のフラグを１から０に変更する禁止動作登録処理を行い（Ｓ９０３）、コマンド入力の判断（Ｓ９０１）に戻る。
【０１０３】
入力したコマンドが禁止動作に関する登録コマンドでなければ処理を終了するコマンドかどうか判断し（Ｓ９０４）、終了するコマンドのときは終了処理を実行する（Ｓ９０５）。
【０１０４】
処理を終了するコマンドでなければ、光ディスク装置１３に光ディスク２０１が収納されているかどうか判断し（Ｓ９０６）、収納されていなければ、（Ｓ９０６）を続け、光ディスク２０１の収納を監視する。
【０１０５】
光ディスク２０１が収納されていれば、光ディスクの種類を判断する（Ｓ９０７）。この光ディスク２０１の種類は、光ディスクの物理規格に基づき判断すればよい。
【０１０６】
そして、入力したコマンドが記録コマンドかどうか判断し（Ｓ９０８）、記録のコマンドでなければ、該当するコマンド処理を実行し（Ｓ９０９）、コマンド処理が終了したかどうか判断し（Ｓ９１０）、終了していなければ（Ｓ９０９）に戻りコマンド処理を続ける。コマンド処理が終了すれば、（Ｓ９０１）に戻る。
【０１０７】
記録コマンドのときは、禁止動作に関する登録値を読込（Ｓ９１１）、判別した空きディスクの容量が読込んだ禁止動作の登録設定値より大きいかどうか判断し（Ｓ９１２）、一致したら光ディスクの禁止動作駆動を行う（Ｓ９１３）。読込んだ禁止動作の登録値とコマンド入力した動作が一致していなかったら、全ての登録値を確認したかどうか判断し（Ｓ９１４）、（Ｓ９１１）に戻る。
【０１０８】
全ての確認が終わり禁止動作に該当しなかったら、記録処理を行い（Ｓ９１５）、記録を終了するかどうか判断し（Ｓ９１６）、終了するときは（Ｓ９０１）に戻る。
【０１０９】
記録処理が終わっていないときは、（Ｓ９１５）に戻り記録処理を続ける。
【０１１０】
（実施の形態４）
以下、本発明の実施の形態４について詳細に説明する。
【０１１１】
なお、本発明の実施の形態１と重複する処理は繰り返して述べない。
【０１１２】
図１０は、本発明の実施の形態４に係わる禁止動作の登録テーブルを示す表の一例を示す図である。
【０１１３】
図１０に示すように、本実施の形態４においては、光ディスク装置１３で使用可能な対応光ディスクの種類毎に空きディスクの容量の限界と設定し、設定値以上の空き容量がある光ディスク２０１には記録する動作を使用禁止とする機能とすることができる。
【０１１４】
図１０においては、一例として、記録可能な領域の空き容量の割合をパラメータとしている。
【０１１５】
従って、ブランクディスク（１００％）空きのディスクには、記録できなくして、光ディスクのデッドコピー防止などの設定や、パーソナルコンピュータ内の重要ファイルの容量に応じて、その容量を設定することで、重要ファイルの設定を所望の時に行うことができるようになる。
【０１１６】
このテーブルは、パーソナルコンピュータ１１で動作するユーティリティプログラムを実行し、このパラメータをパーソナルコンピュータ１１から光ディスク装置１３に発光するすることで設定できるようにしている。
【０１１７】
図１１は、本発明の実施の形態４に係わる光ディスクの禁止動作処理のフローチャートである。
【０１１８】
処理が開始されると（Ｓ１１００）、パーソナルコンピュータ１１からのコマンド（Ｃｍｄ）入力があるかどうか判断され（Ｓ１１０１）、入力したコマンドが禁止動作に関する登録かどうか判断される（Ｓ１１０２）。入力したコマンドが登録に関するコマンドのときは、対応する光ディスクの種類ごとに禁止する動作のフラグを１から０に変更する禁止動作登録処理を行い（Ｓ１１０３）、コマンド入力の判断（Ｓ１１０１）に戻る。
【０１１９】
入力したコマンドが禁止動作に関する登録コマンドでなければ処理を終了するコマンドかどうか判断し（Ｓ１１０４）、終了するコマンドのときは終了処理を実行する（Ｓ１１０５）。
【０１２０】
処理を終了するコマンドでなければ、光ディスク装置１３に光ディスク２０１が収納されているかどうか判断し（Ｓ１１０６）、収納されていなければ、（Ｓ１１０６）を続け、光ディスク２０１の収納を監視する。
【０１２１】
光ディスク２０１が収納されていれば、光ディスクの種類を判断する（Ｓ１１０７）。この光ディスク２０１の種類は、光ディスクの物理規格に基づき判断すればよい。
【０１２２】
そして、入力したコマンドが記録コマンドかどうか判断し（Ｓ１１０８）、記録のコマンドでなければ、該当するコマンド処理を実行し（Ｓ１１０９）、コマンド処理が終了したかどうか判断し（Ｓ１１１０）、終了していなければ（Ｓ１１０９）に戻りコマンド処理を続ける。コマンド処理が終了すれば、（Ｓ１１０１）に戻る。
【０１２３】
記録コマンドのときは、禁止動作に関する登録値を読込（Ｓ１１１１）、判別した空きディスクの容量が読込んだ禁止動作の登録設定値に一致しているかどうか判断し（Ｓ１１１２）、一致したら光ディスクの禁止動作駆動を行う（Ｓ１１１３）。読込んだ禁止動作の登録値とコマンド入力した動作が一致していなかったら、全ての登録値を確認したかどうか判断し（Ｓ１１１４）、（Ｓ１１１１）に戻る。
【０１２４】
全ての確認が終わり禁止動作に該当しなかったら、再生処理を行い（Ｓ１１１５）、記録を終了するかどうか判断し（Ｓ１１１６）、終了するときは（Ｓ１１０１）に戻る。
【０１２５】
再生処理が終わっていないときは、（Ｓ１１１５）に戻り記録処理を続ける。
【産業上の利用可能性】
【０１２６】
本発明にかかる光ディスク装置およびその機能設定方法は、パーソナルコンピュータに接続された光ディスク装置の記録または再生動作の機能を所望に停止できるので、特にセキュリティを要する会社内で使用するパーソンルコンピュータに接続する光ディスク装置
や、小さい子供を持つパーソナルコンピュータで再生を制限する光ディスク装置等、として有用である。
【図面の簡単な説明】
【０１２７】
【図１】本発明の実施の形態１に係わる光ディスク装置の構成を示したブロック図
【図２】本発明の実施の形態１に係わる使用禁止動作の一例を示す図
【図３】本発明の実施の形態１に係わる禁止動作の登録テーブルを示す表の一例を示す図
【図４】本発明の実施の形態１にかかわるパーソナルコンピュータ側のフローチャート
【図５】本発明の実施の形態１に係わる光ディスクの禁止動作処理のフローチャート
【図６】本発明の実施の形態２に係わる禁止動作の登録テーブルを示す表の一例を示す図
【図７】本発明の実施の形態２に係わる光ディスクの禁止動作処理のフローチャート
【図８】本発明の実施の形態３に係わる禁止動作の登録テーブルを示す表の一例を示す図
【図９】本発明の実施の形態３に係わる光ディスクの禁止動作処理のフローチャート
【図１０】本発明の実施の形態４に係わる禁止動作の登録テーブルを示す表の一例を示す図
【図１１】本発明の実施の形態４に係わる光ディスクの禁止動作処理のフローチャート
【符号の説明】
【０１２８】
１１    パーソナルコンピュータ
１３    光ディスク装置
２３    インターフェース
２０１    光ディスク
２０２    ピックアップモジュール
２０４    スピンドルモータ
２１５    コマンド判（Ｃｍｄ）別手段
２２０    記憶手段
２２２    ディスク判別手段
２２３    禁止動作駆動手段
２３１    トレイ
２４０    蓋
２４１    収納部
【図１】
2008052765.tif 000003
【図２】
2008052765.tif 000004
【図３】
2008052765.tif 000005
【図４】
2008052765.tif 000006
【図５】
2008052765.tif 000007
【図６】
2008052765.tif 000008
【図７】
2008052765.tif 000009
【図８】
2008052765.tif 000010
【図９】
2008052765.tif 000011
【図１０】
2008052765.tif 000012
【図１１】
2008052765.tif 000013